(57)【要約】【課題】光受信装置が受信した光の２値が反転したときに検波信号が閾値を超えるまでの所要時間を改善する光信号を生成する光送信装置を提供する。【解決手段】光送信装置は、第１値と第２値との２値をもつデジタル信号（Ｓ2）の送信データが入力する入力部と、デジタル信号（Ｓ2）の値に基づいて駆動電流（Ｓ7）を生成する駆動部と、駆動部からの駆動電流（Ｓ７）の振幅に対応する発光量で発光して発光の変化を光信号として送信する発光部とを備え、駆動部は、デジタル信号が第２値であるときは、第１値であるときよりも大きい発光量（Ｐ7a，Ｐ7b）で発光部が発光し、デジタル信号が第２値である期間の始端から所定の期間範囲（ｔ1−ｔ3）では、その後の期間範囲（ｔ3−ｔ2）における発光量（Ｐ7b）より大きい発光量（Ｐ7a）で発光部が発光するように駆動電流を生成する。【選択図】図５
2013172276.tif 000002
【特許請求の範囲】
【請求項１】
第１値と第２値との２値をもつデジタル信号の送信データが入力される入力部と、
前記デジタル信号の値に基づいて駆動電流を生成する駆動部と、
前記駆動部からの駆動電流の振幅に対応する発光量で発光して発光の変化を光信号として送信する発光部とを備え、
前記駆動部は、前記デジタル信号が第２値であるときは、第１値であるときよりも大きい発光量で前記発光部が発光し、前記デジタル信号が第２値である期間の始端から所定の期間範囲では、その後の期間範囲における発光量より大きい発光量で前記発光部が発光するように前記駆動電流を生成することを特徴とする光送信装置。
【請求項２】
請求項１の光送信装置において、
前記駆動部は、
前記デジタル信号に基づいて前記所定の期間範囲を前記所定の期間範囲と同一のパルス幅で占めるパルスを出力するパルス生成部と、
前記デジタル信号と前記パルス生成部の出力とを加算する加算部と、
搬送波信号を前記加算部の出力により変調することにより生成した電流を前記発光部の駆動電流として出力する乗算部とを備えることを特徴とする光送信装置。
【請求項３】
請求項２の光送信装置において、
前記パルス生成部は、前記所定の期間範囲を前記デジタル信号の周期の１／２以下とすることを特徴とする光送信装置。
【発明の詳細な説明】
【技術分野】
【０００１】
本発明は、点滅等の発光の変化を光信号として送信する光送信装置に関する。
【背景技術】
【０００２】
光通信は、例えば車車間通信のような近距離通信に利用され、生体に影響がなく安全で、かつ電磁波のような他の電子機器の作動への悪影響がないという利点を有する。光通信の発光素子は、一般にＬＥＤ（Light Emitting Diode：発光ダイオード）が使用されている。
【０００３】
ＬＥＤは、高速駆動（高周波数での点灯及び消灯の点滅）させる場合に、点滅の切替わり時の遅れが障害になる。そこで、ＬＥＤ等の発光素子の高速駆動を実現するために、発光素子の点滅の切替わり直後に限定して、駆動電流に正又は負のピーク電流を付加して、発光素子を駆動することにより、切替わり速度を速める技術が知られている（例：特許文献１，２）。
【０００４】
図７及び図８はそれぞれ従来の光通信システムに装備される光送信装置１０１及び光受信装置１１６の構成図である。図９及び図１０は光送信装置１０１及び光受信装置１１６間でそれぞれ第１及び第２の転送レートでデータ転送を実施した時の各部の波形を示している。なお、第１の転送レートは、従来の光通信システムにおける定格転送レートであり、第２の転送レートは定格転送よりも所定量大きい転送レートとして定義している。
【０００５】
また、光送信装置１０１及び光受信装置１１６と後述の本発明の実施形態の光送信装置１及び光受信装置１６との要素同士の対応関係を分かり易くするために、対応関係のある要素同士については、下２桁の符号を同一にしている。ただし、実施形態の光送信装置１において、符号が１桁であるものについては、２桁目の符号は０と考える。さらに、信号を示す各符号には、頭に“Ｓ”を付けている。
【０００６】
図９及び図１０の信号波形を参照しつつ、光送信装置１０１及び光受信装置１１６の構成及び作用について説明する。なお、２値のデジタル信号の高レベルと低レベルとをそれぞれ“１”及び“０”で表わす。
【０００７】
光送信装置１０１は、入力部１０２、乗算回路１０７、キャリア発振回路１０８、ＬＥＤドライバ回路１０９及びＬＥＤ１１０を備える。送信データを表す２値のデジタル信号は入力部１０２に入力される。該デジタル信号において“１”の期間は、該期間をパルス幅とするパルスが占めている。パルス幅に関係なく、パルスの立ち上がり時刻をｔ1、パルスの立ち下がり時刻をｔ2と定義する。
【０００８】
乗算回路１０７は、入力部１０２からのデジタル信号としてのＳ１０２とキャリア発振回路１０８からの所定の固定周波数の搬送波（キャリア）信号としてのＳ１０８とを乗算し、乗算信号としてのＳ１０７をＬＥＤドライバ回路１０９へ出力する。ＬＥＤドライバ回路１０９は、Ｓ１０７の電圧値に比例関係のある電流値の駆動電流をＬＥＤ１１０へ供給する。
【０００９】
ＬＥＤ１１０は、ＬＥＤドライバ回路１０９からの駆動電流により駆動されて、駆動電流の振幅に比例関係のある光量で発光する。ＬＥＤ１１０の発光量の変化が、光信号１１１として光受信装置１１６へ送信される。
【００１０】
光受信装置１１６は、フォトダイオード１１７、Ｉ−Ｖ（電流−電圧）変換器１１８、バンドパスフィルタ１１９、検波器１２０、比較器１２１及び受信データ出力部１２２を備える。フォトダイオード１１７は、光送信装置１０１からの光信号１１１を受信して、光信号１１１の受光量（受光強度でもある。）に応じた振幅（電流値の絶対値）の電流を出力する。
【００１１】
Ｉ−Ｖ変換器１１８は、フォトダイオード１１７からの入力電流の値に比例関係のある電圧値のＳ１１８を出力する。Ｓ１１８は、バンドパスフィルタ１１９によりノイズを除去されて、Ｓ１１８を少しなました波形のＳ１１９に変化する。検波器１２０は、具体的には、包絡線検波器であり、Ｓ１１９から検波信号としてのＳ１２０を生成する。
【００１２】
比較器１２１は、検波器１２０からのＳ１２０と閾値Ｌrとを対比し、Ｓ１２１を受信データ出力部１２２へ出力する。具体的には、Ｓ１２１は、Ｓ１２０のレベル≧Ｌrのときは、“１”となり、また、Ｓ１２０のレベル＜Ｌrのときは、“０”となっている。
【先行技術文献】
【特許文献】
【００１３】
【特許文献１】特開２００８−６０５２１号公報
【特許文献２】特表２００９−５２７８９２号公報
【発明の概要】
【発明が解決しようとする課題】
【００１４】
従来の光通信システムでは、光受信装置１１６が、光信号１１１における“０”から“１”への変化を受信してから、検波器１２０の出力がＬr以上になるまでに、閾値到達時間Ｔuを要していた。
【００１５】
データ転送が第１の転送レートで行われている場合には（図９）、光送信装置１０１のＬＥＤ１１０が光通信システムの許容転送レートに対応する周波数以下で駆動されるので、光信号１１１の周期Ｔ（＝入力部１０２に入力されるデジタル信号の周期）はＴu以上となる。この結果、光受信装置１１６におけるＳ１２０のレベルは、時刻ｔ2において“１”から“０”へ反転する前に、Ｌr以上となって、Ｓ１２１は“０”から“１”に切り替わることができる。
【００１６】
これに対し、データ転送が高速の第２の転送レートで行われている場合には（図１０）、光送信装置１０１のＬＥＤ１１０が光通信システムの許容転送レートに対応する周波数を超える高周波数で駆動されるので、光信号１１１の周期ＴはＴu未満となる。この結果、Ｓ１２０のレベルは、時刻ｔ2までに、Ｌr以上となることができず、Ｓ１２１は、“０”に維持されたままとなり、光信号１１１の“１”が検出できなくなる。
【００１７】
特許文献１，２の光送信装置は、発光素子の点滅の切替わり時に、発光素子の駆動電流に付加されるピーク電流は、単に、発光素子の点滅の切替わりを早めることにしか使用しておらず、発光素子の点灯期間初期過渡時の発光量が点灯期間定常時の発光量を超えることはない（特許文献１の図２（ｇ）及び特許文献２の図３（ｆ））。したがって、特許文献１，２の光送信装置からの光信号を受信する光受信装置は、図８の光受信装置１１６と同様に、受信光が“０”から“１”へ変化したときの検波信号が変化直前のレベルから閾値Ｌr以上になる時間を短縮されることはなく、検波信号のレベルがＬrを超える前に、受信光が“１”から“０”へ反転してしまい、受信光内の“１”を正しく検出することができないことが起こり得る。
【００１８】
本発明の目的は、光受信装置が受信光内の２値が反転したときに検波信号が閾値を超えるまでの所要時間を改善する光信号を生成することができる光送信装置を提供することである。
【課題を解決するための手段】
【００１９】
第１発明の光送信装置は、第１値と第２値との２値をもつデジタル信号の送信データが入力される入力部と、前記デジタル信号の値に基づいて駆動電流を生成する駆動部と、前記駆動部からの駆動電流の振幅に対応する発光量で発光して発光の変化を光信号として送信する発光部とを備え、前記駆動部は、前記デジタル信号が第２値であるときは、第１値であるときよりも大きい発光量で前記発光部が発光し、前記デジタル信号が第２値である期間の始端から所定の期間範囲では、その後の期間範囲における発光量より大きい発光量で前記発光部が発光するように前記駆動電流を生成することを特徴とする。
【００２０】
第１発明によれば、光送信装置は、デジタル信号が、発光部を発光させる方の第２値である期間において、該期間の始端から所定の期間範囲では、後続の期間範囲より発光部の発光量を増大させる。したがって、該発光部の発光による光信号を受光した光受信装置では、光信号が第１値に相当するレベルから第２値に相当するレベルへ切り替わる時には、検波信号のレベルが、急速に変化して、所定の閾値を超えるまでの時間が短縮される。この結果、光受信装置は、高転送レート時においても第２値を取りこぼしなく、適切に検出することができる。
【００２１】
第２発明の光送信装置は、第１発明において、前記駆動部は、前記デジタル信号に基づいて前記所定の期間範囲を前記所定の期間範囲と同一のパルス幅で占めるパルスを出力するパルス生成部と、前記デジタル信号と前記パルス生成部の出力とを加算する加算部と、搬送波信号を前記加算部の出力により変調することにより生成した電流を前記発光部の駆動電流として出力する乗算部とを備えることを特徴とする。
【００２２】
第２発明によれば、駆動部は、所定の期間範囲に生成された所定の期間範囲のパルス幅のパルスと、デジタル信号との加算に基づいて、所定期間範囲の発光量を後続の期間範囲より増大させる駆動電流を円滑に生成することができる。
【００２３】
第３発明の光送信装置は、第２発明において、前記パルス生成部は、前記所定の期間範囲を前記デジタル信号の周期の１／２以下とすることを特徴とする。
【００２４】
第３発明によれば、パルスのパルス幅をデジタル信号の周期の１／２以下とすることにより、所定期間範囲終了時の検波信号のレベルが過大となるのを的確に回避し、光信号の次の第１値の期間において検波信号のレベルを所定の閾値未満に円滑に戻すことができる。
【図面の簡単な説明】
【００２５】
【図１】本発明の実施形態の光通信システムにおける光送信装置の構成図。
【図２】本発明の実施形態の光通信システムにおける光受信装置の構成図。
【図３】第１の転送レートでデータを送信しているときの図１の光送信装置の各部における波形図。
【図４】第１の転送レートでデータを受信しているときの図２の光受信装置の各部における波形図。
【図５】第１の転送レートより大きい第２の転送レートでデータを送信しているときの図１の光送信装置の各部における波形図。
【図６】第２の転送レートでデータを受信しているときの図２の光受信装置の各部における波形図。
【図７】従来の光通信システムにおける光送信装置の構成図。
【図８】従来の光通信システムにおける光受信装置の構成図。
【図９】従来の光通信システムにおいて第１の転送レートでデータを送受信しているときの各部における波形図。
【図１０】従来の光通信システムにおいて第２の転送レートでデータを送受信しているときの各部における波形図。
【発明を実施するための形態】
【００２６】
光通信システムは図１の光送信装置１と図２の光受信装置１６とを備える。該光通信システムは、第１の転送レートと第２の転送レートとに切替自在なっている。第１及び第２の転送レートは、図７〜図１０の従来の光通信システム（図９及び図１０）において説明した第１及び第２の転送レートと同一である。
【００２７】
第１の転送レートは、従来の光通信システムにおける定格転送レートであり、これは従来の光通信システムにおける許容転送レート以下の値になっている。これに対し、第２の転送レートは、従来の光通信システムにおける許容転送レートより大きい値に設定されている。本発明の実施形態の光通信システムは、光送信装置１と光受信装置１６との間の距離や、ノイズ量等を決定因子とする通信環境に応じて、通信環境の悪いときは、第１の転送レートが設定され、通信環境の良いときは、第２の転送レートが設定される。
【００２８】
図３〜図６の信号波形図を参照しつつ、光送信装置１及び光受信装置１６の構成について説明する。なお、信号を示す各符号には、頭に“Ｓ”を付けて表している。また、２値のデジタル信号の高レベルと低レベルとをそれぞれ“１”及び“０”で表わす。
【００２９】
図１において、光送信装置１は、入力部２、遅延回路３、排他的論理和回路４、アンド回路５、加算回路６、乗算回路７、キャリア発振回路８、ＬＥＤドライバ回路９及びＬＥＤ１０を備える。
【００３０】
遅延回路３、排他的論理和回路４、アンド回路５、加算回路６、乗算回路７、キャリア発振回路８及びＬＥＤドライバ回路９は、本発明の駆動部に相当する。ＬＥＤ１０は本発明の発光部に相当する。遅延回路３、排他的論理和回路４及びアンド回路５は本発明のパルス生成部に相当する。
【００３１】
送信データのデジタル信号としてのＳ２（以下、適宜、「入力デジタル信号」という。）は入力部２に入力される。Ｓ２の周波数は、光通信システムに設定されている転送レートに応じて決まり、転送レートの逆数に等しい。
【００３２】
Ｓ２は、入力部２からさらに遅延回路３、排他的論理和回路４及び加算回路６に送られる。遅延回路３は、Ｓ２を所定時間Ｔd、遅延させたＳ３を出力する。Ｔdは、Ｓ２の周期の例えば２０％〜５０％の長さである。
【００３３】
図３〜図６において、ｔ1，ｔ2は、従来の光通信システムについて説明した図９及び図１０と同様に、パルス幅に関係なく、入力デジタル信号Ｓ２におけるパルスの立ち上がり時刻及び立ち下がり時刻と定義する。ｔ3，ｔ4は、パルス幅に関係なく、Ｓ３におけるパルスの立ち上がり時刻及び立ち下がり時刻と定義する。後の方の時刻ほど、値が増大すると考えるならば、ｔ1＜ｔ3＜ｔ2＜ｔ4となる。
【００３４】
Ｔd＝ｔ3−ｔ1＝ｔ4−ｔ2となっている。なお、入力デジタル信号が連続して“１”となるときには、時刻ｔ1から時刻ｔ2までの期間ｔ1〜ｔ2は“１”の連続数に応じて増大する。“１”の連続数が１である単発のパルスのパルス幅は入力転送レートの周期Ｔに一致する。
【００３５】
排他的論理和回路４は、Ｓ２とＳ３との排他的論理和としてのＳ４を出力する。Ｓ４は、Ｓ２の２値が反転するごとに、反転時（例：ｔ1，ｔ2）からパルス幅ＴdのパルスＰが存在する信号となっている。
【００３６】
アンド回路５は、Ｓ２とＳ４とを論理和したＳ５を出力する。Ｓ５は、Ｓ４から、Ｓ２の立ち下がり時のパルスＰを除去した波形となる。この結果、Ｓ５におけるパルスＰは、入力デジタル信号が“１”である期間（例：ｔ1〜ｔ2）において、該期間の始端から所定期間範囲ｔ1〜ｔ3をパルス幅Ｔd（＝ｔ3−ｔ1）で占めるパルスとなっている。
【００３７】
加算回路６は、Ｓ２とＳ５とを加算したＳ６を出力する。Ｓ６の各隆起部は、Ｓ２の各矩形波の始端部分にパルスＰを上乗せした輪郭の波形になる。換言すると、Ｓ６の隆起部は、Ｓ２の立ち上がり時刻ｔ1から時刻ｔ3までの高隆起部分Ｐ6aと、時刻ｔ3から時刻ｔ2までの標準隆起部分Ｐ6bとから成る。なお、標準隆起部分Ｐ6bのレベルは、従来の光送信装置１０１におけるＳ１０７（図９及び図１０）の隆起部のレベルに等しい。
【００３８】
実施形態では、Ｓ２のパルス高さとＳ５のパルス高さとは等しく設定されているので、Ｓ６における高隆起部分Ｐ6aの高さは標準隆起部分Ｐ6bの高さの２倍になっている。
【００３９】
キャリア発振回路８は、一定周波数の搬送波（キャリア）としてのＳ８を出力する。
【００４０】
乗算回路７は、Ｓ６とＳ８とを乗算したＳ７を出力する。Ｓ７は、Ｓ８をＳ６の振幅で変調した振幅変調信号となっている。Ｓ７の包絡線は、Ｓ６の波形の輪郭線に対応する線になっている。すなわち、Ｓ７の包絡線は、立ち上がり直前のレベルを、すなわち入力デジタル信号Ｓ２が“０”である期間の終端時のレベルを「０レベル」と呼ぶことにすると、時刻ｔ1で０レベルから立ち上がり、時刻ｔ3で半分だけ立ち下がり、時刻ｔ2で０レベルに戻る。
【００４１】
ＬＥＤドライバ回路９は、Ｓ７の電圧が入力されて、その電圧値に比例関係にある電流値の駆動電流を出力する。ＬＥＤ１０はＬＥＤドライバ回路９からの駆動電流により発光し、各時点の強さがＬＥＤ１０の発光量に比例する光信号１１を生成し、該光信号１１が光受信装置１６（図２）へ向けて送信される。
【００４２】
Ｓ７の高隆起部分Ｐ7aのレベルは、該レベルに対応する駆動電流がＬＥＤドライバ回路９から出力されたときにも、ＬＥＤ１０の発光量が飽和値内に留まるように、ＬＥＤ１０の仕様は設定されている。しかしながら、Ｐ7aが、ＬＥＤ１０の飽和発光量を上回るレベル相当であったとしても、該飽和発光量が、第２の転送レートのデータ転送において、後述の検波器２０の出力としてのＳ２０が受光信号の“０”から“１”への変化後の後述の時間Ｔv以内にＬr以上になることを保証できるものとなっているならば、Ｐ7aのレベルは、ＬＥＤ１０の飽和発光量以上に相当するレベルであってもよいとする。ＬＥＤ１０の発光量は、飽和発光量に対応する電流値以下の駆動電流であれば、駆動電流の値に比例するようになっている。
【００４３】
ＬＥＤ１０の発光量は、厳密にはキャリア発振回路８の搬送波の振幅の増減に伴い増減するが、転送レートの周波数レベルで概略的に把握すると、入力デジタル信号が“１”である期間（ｔ1〜ｔ2）では、点灯し、“０”である期間（ｔ2〜ｔ1）では、消灯する。また、入力デジタル信号が“１”である期間（ｔ1〜ｔ2）において、始端からＴdの期間範囲（ｔ1〜ｔ3）では、その後の期間範囲（ｔ3〜ｔ2）における発光量を通常発光量Ｑa（図示せず）としたとき、その約２倍の発光量Ｑb（図示せず）になる。通常発光量Ｑaは、従来の光送信装置１０１において、入力デジタル信号が“１”である期間の発光量に等しい。
【００４４】
光信号１１はＬＥＤ１０の発光により生成される。Ｑa，Ｑbに相当する光信号１１における部分は、共に、２値の内の“１”に相当する。また、消灯中のＬＥＤ１０の発光量は０であり、ＬＥＤ１０の消灯期間では、光信号１１の値は２値の内の“０”に相当する。
【００４５】
図２において、光受信装置１６の構成及び機能は、前述の従来の光受信装置１１６のものと同一である。光受信装置１１６の説明と重複するが、光受信装置１６の構成及び機能について、図４及び図６の信号波形を参照しつつ、説明する。
【００４６】
光受信装置１６は、フォトダイオード１７、Ｉ−Ｖ（電流−電圧）変換器１８、バンドパスフィルタ１９、検波器２０、比較器２１及び受信データ出力部２２を備える。フォトダイオード１７は、光信号１１を受信して、受光量に応じた電流値の電流を出力する。
【００４７】
Ｉ−Ｖ変換器１８は、フォトダイオード１７からの入力電流をその電流値に対応する電圧値の電圧に変換したＳ１８を出力する。Ｓ１８の隆起波形部は、Ｓ７のＰ7a，Ｐ7bにそれぞれ対応して高レベルの高隆起部分Ｐ18aと標準レベルの標準隆起部分Ｐ18bとを含んでいる。高隆起部分Ｐ18aは、時刻ｔ1から時刻ｔ3までのＴdの期間を占め、標準隆起部分Ｐ18bは、時刻ｔ3から時刻ｔ2までの期間を占める。標準隆起部分Ｐ18bのレベルは、従来の光通信システムの光受信装置１１６のＳ１１８（図９及び図１０）の隆起部のレベルに等しい。
【００４８】
バンドパスフィルタ１９は、ノイズ除去フィルタとして、除去すべきノイズが含まれる周波数成分をＳ１８から除去したＳ１９を出力する。この結果、Ｓ１９は、Ｓ１８に対して少しなまる。バンドパスフィルタ１９は、Ｓ１８からノイズ成分を除去して、信号成分を抽出する役目を果たすために、設けられているものであり、ノイズを除去する役目を的確に果たすものであれば、バンドパスフィルタ１９に代えて、カットオフ周波数を適切に設定したローパスフィルタやハイパスフィルタを採用することもできる。
【００４９】
検波器２０は、具体的には、包絡線検波器であり、Ｓ１９から検波信号としてのＳ２０を生成する。比較器２１は、検波器２０からの入力電圧と閾値Ｌrとを対比し、Ｓ２１を受信データ出力部２２へ出力する。Ｓ２１は、Ｓ２０のレベル≧Ｌrのときは、“１”となり、また、Ｓ２０のレベル＜Ｌrのときは、“０”となっている。
【００５０】
光送信装置１を装備する光通信システムの作用の内、重要点について説明する。光送信装置１は、時刻ｔ1から時刻ｔ3までの所定時間Ｔdだけ、ＬＥＤ１０における発光量を、“１”について設定した通常発光量Ｑbよりも適当に大きい（例えば２倍の）発光量Ｑaにした光信号１１を光受信装置１６へ送信する。
【００５１】
これにより、光受信装置１６は、光信号１１における転送レートに関係なく、時刻ｔ1から所定時間Ｔdだけ、“１”について対応付けられている通常の光量より適当に大きい光量の光を受信するので、Ｉ−Ｖ変換器１８の出力としてのＳ１８は、時刻ｔ1から急速に立ち上がって、Ｌr以上になる閾値到達時間を従来のＴu（図９及び図１０）からＴv（Ｔv＜ＴuかつＴv≦Ｔd）へ大幅に短縮される。
【００５２】
光信号１１（図１）又は１１１（図７）によるデータ転送が第１の転送レートで行われている場合は、デジタル信号の周期Ｔが十分に長いので、光受信装置１１６における閾値到達時間が長いＴu（図９のＳ１２０）であっても、デジタル信号内の“１”を正しく検出することができる（図９のＳ１２１）。しかし、従来の光通信システムの光受信装置１１６では、データ転送が第２の転送レートで行われている場合は、閾値到達時間が長いＴuであると、デジタル信号の周期Ｔが短いので、単発の“１”であるときには、検波器１２０の出力Ｓ１２０（図１０）が、時刻ｔ1から上昇して、時刻ｔ1からデジタル信号の周期Ｔの経過する時刻ｔ2までに、Ｌr以上に到達することなく、光信号１１１のデジタル信号が“１”から“０”へ反転してしまう。この結果、光信号１１１の“１”を正しく検出することができなくなる（図１０のＳ１２１）。
【００５３】
これに対し、光送信装置１を装備する光通信システムでは、光受信装置１６の検波器２０の出力としてのＳ２０が時刻ｔ1から上昇開始して、Ｌr以上に到達する閾値到達時間がＴvに短縮される。これにより、データ転送が第２の転送レートで行われかつ光信号１１のデジタル信号の周期Ｔが短い場合の光信号１１内の単発の“１”に対しても、検波器２０の出力Ｓ２０は、時刻ｔ1から上昇して、時刻ｔ1からデジタル信号の周期Ｔが経過するまでに、すなわち時刻ｔ2までに、閾値Ｌr以上に到達する。この結果、比較器２１は、光信号１１内の“１”を正確に検出することができる（図６のＳ２１）。
【００５４】
Ｓ７のＰ7aの期間は入力デジタル信号の周期の１／２以下とし、また、Ｐ7aの高さはＰ7bの高さの２倍としている。Ｓ７のＰ7aの期間は入力デジタル信号の周期の１／２以下とした理由は、それより長いと、光受信装置１６において、時刻ｔ1から時間Ｔd経過後の時点における検波器２０の出力のＳ２０のレベルが高くなり過ぎ、次の時刻ｔ2において光信号１１内のデジタル信号の値が“１”から“０”に反転したときに、該ｔ2から周期Ｔが経過する時刻までに、Ｓ２０のレベルが閾値Ｌr未満に下降しない可能性が高まって、受信データ出力部２２に誤出力を出力する可能性があり、これを回避するためである。
【００５５】
本発明を図１〜図６の実施形態について説明したが、本発明は、当該実施形態に限定されず、その要旨の範囲内で種々の形態において実施することができる。
【００５６】
例えば実施形態の光通信システムでは、光通信システムの転送レートを第１の転送レートと第２の転送レートとに通信環境に応じで切替自在としているが、光通信システムの転送レートを第２の転送レート専用とすることもできる。
【００５７】
実施形態の光送信装置１及び光受信装置１６では、正論理を採用しているが、負論理を採用することもできる。なお、負論理では、ＬＥＤ１０の陽極側がアースに接続され、ＬＥＤドライバ回路９の出力端子はＬＥＤ１０の陰極側に接続されて、ＬＥＤドライバ回路９は、ＬＥＤ１０を発光させる時には、ＬＥＤ１０の陰極にアース電圧より低い負の電圧が生成されるように、ＬＥＤ１０に駆動電流を供給する。
【００５８】
実施形態の光送信装置１では、加算回路６の一方の入力としてのアンド回路５からのパルスＰを生成するために、遅延回路３、排他的論理和回路４及びアンド回路５を使用しているが、それらの代わりに、入力部２の出力としてのＳ２を入力とする単安定マルチバイブレータを使って、アンド回路５の出力パルスＰと同一のパルスを出力することもできる。
【００５９】
実施の形態では、Ｔdは転送レートに関係なく一定であるが、Ｔdを、転送レートの関数にして、転送レートが増大するほど、増大するようにすることができる。その場合、入力デジタル信号が“１”から“０”に変化したときに、検波器２０の出力を転送レートに関係なく速やかに閾値Ｌr未満に戻すことができる。
【００６０】
また、例えば、転送レートが所定値未満（ただし、第２の転送レート＞該所定値＞第１の転送レート）であるときは、Ｔdは無しとし（Ｔd＝０）、転送レートが所定値以上であるときのみ、Ｔdを生成するようにしてもよい。その具体的な回路としては、例えば、第２の転送レートが設定されているとき、乗算回路７の入力は加算回路６の出力に切替え、また、第１の転送レートが設定されているときは、乗算回路７の入力は入力部２のＳ２に切り替える切替回路を追加する。
【符号の説明】
【００６１】
１・・・光送信装置、２・・・入力部、３・・・遅延回路（駆動部、パルス生成部）、４・・・排他的論理和回路（駆動部、パルス生成部）、５・・・アンド回路（駆動部、パルス生成部）、６・・・加算回路（駆動部、加算部）、７・・・乗算回路（駆動部、乗算部）、８・・・キャリア発振回路、９・・・ＬＥＤドライバ回路（駆動部）、１０・・・ＬＥＤ（発光部）、１１・・・光信号、１６・・・光受信装置。
【図１】
2013172276.tif 000003
【図２】
2013172276.tif 000004
【図３】
2013172276.tif 000005
【図４】
2013172276.tif 000006
【図５】
2013172276.tif 000007
【図６】
2013172276.tif 000008
【図７】
2013172276.tif 000009
【図８】
2013172276.tif 000010
【図９】
2013172276.tif 000011
【図１０】
2013172276.tif 000012